(57)【特許請求の範囲】
【請求項１】
文字板を複数に分割してなる複数の扉と、前記扉の移動により可視可能となる飾りと、前記扉及び前記飾りを駆動する駆動輪列とが備わっており、
前記扉の駆動輪列中には、１つのスリップ車が設けてあり、
前記飾りの駆動輪列は、前記扉の駆動輪列中の前記スリップ車の前段までの輪列で構成されているからくり時計において、
前記複数の扉は、地板に固定した固定扉と所定角度内で回転可能な扉と所定方向に移動可能な扉とからなり、前記駆動輪列により前記回転可能な扉と前記移動可能な扉とが前記固定扉と重なる位置に移動することを特徴とするからくり時計。
【請求項２】
請求項１において、前記複数の扉は、３時と９時を表示する文字板を固定扉とし、１２時と６時を表示する文字板を前記固定扉に重なる位置に回転可能な第１の扉とし、文字板の４隅に対応する文字板のうち対向するものを１対としてそれぞれを前記固定扉の背後に平行に移動可能な第２乃至第５の扉とし、
前記駆動輪列は、前記第２と第３の扉を移動させる第１の駆動輪列と、前記第４と第５の扉を移動させる第２の駆動輪列と、前記第１の扉を回転させる第３の駆動輪列とからなり、
前記第１及び第２の駆動輪列により、各別のピニオンを回転させ、前記各ピニオンに噛合している１対のラックを移動させ、前記各ラックに連結してある前記第２乃至第５の扉を移動可能である
ことを特徴とするからくり時計。
【請求項３】
請求項２において、前記１対のラックにより移動される前記１対の扉のいずれか一方は、平行リンクにより結合された前扉と後扉により構成されており、前記前扉と後扉との間には、前記平行リンクを傾斜させて前記両扉を接近させる弾性手段が設けられており、前記１対の扉は、前記固定扉の背後に移動された際に、前扉と後扉とからなる一方の扉と他方の扉とが接近することを特徴とするからくり時計。
【請求項４】
請求項２または３において、前記第３の駆動輪列中に、カム歯車を設け、このカム歯車の回転により１対のアームを揺動させ、前記１対のアームの揺動により前記飾りを駆動することを特徴とするからくり時計。
【発明の詳細な説明】
【０００１】
【発明の属する技術分野】
本発明は、扉などを開閉し、内部に収納してある人形などの飾りを駆動するようにしたからくり時計に関する。
【０００２】
【従来の技術】
従来において多くのからくり時計が知られているが、よく知られている構成では、通常時は文字板を閉じた状態として時刻を表示し、正時または特定の時刻になると、文字板等の扉を開いたり移動させたりして内部の人形等を可視状態とし、これを駆動してパフォーマンスを演ずるようにしているものが挙げられる。また、扉を開く構成としては、文字板自体を上下に移動させるもの、観音開きにするもの、円形の文字板それ自体を回転しながら開くようにしたもの等がある。この場合、文字板等の複数の扉を上下に、左右に、観音開きに、または回転させて開くための機構と、可視状態とした飾りを駆動するための機構とがそれぞれ別々に構成されている。
【０００３】
【発明が解決しようとする課題】
この構成では、扉の数が多かったり、飾りの数が多かったりすると、それだけ駆動用モータや歯車輪列などの駆動機構が増加して複雑になり、製造コストが上昇し、時計全体が大型化する等の問題点があった。
【０００４】
そこで本発明は、最小限の駆動機構によって多くの扉などの開閉や飾りなどの駆動を行うようにしたものである。
【０００５】
【課題を解決するための手段】
本発明のからくり時計は、扉と、前記扉の移動により可視可能となる飾りと、前記扉及び前記飾りを駆動する駆動輪列とが備わっており、前記扉の駆動輪列中には、１つのスリップ車が設けてあり、前記飾りの駆動輪列は、前記扉の駆動輪列中の前記スリップ車の前段までの輪列で構成されていることを特徴とする。この構成により、扉と飾りの駆動のための駆動輪列は一部を兼用できるので最小限のものにできる。
【０００６】
また、前記扉は、文字板を複数に分割してなる複数の扉であり、前記飾りは、前記各扉の移動によりそれぞれ可視可能となる複数の飾りであり、前記各扉の駆動輪列中には、１つのスリップ車が設けてあり、前記各飾りの駆動輪列は、前記各扉の駆動輪列中の前記スリップ車の前段までの輪列で構成されていることが好ましい。
【０００７】
また、前記複数の扉は、３時と９時を表示する文字板を固定扉とし、１２時と６時を表示する文字板を前記固定扉に重なる位置に回転可能な第１の扉とし、文字板の４隅に対応する文字板のうち対向するものを１対としてそれぞれを前記固定扉の背後に平行に移動可能な第２乃至第５の扉とし、前記駆動輪列は、前記第２と第３の扉を移動させる第１の駆動輪列と、前記第４と第５の扉を移動させる第２の駆動輪列と、前記第１の扉を回転させる第３の駆動輪列とからなリ、前記第１及び第２の駆動輪列により、各別のピニオンを回転させ、前記各ピニオンに噛合している１対のラックを移動させ、前記各ラックに連結してある前記第２乃至第５の扉を移動可能であることを特徴としている。この構成により文字板と扉を兼用し、飾りの動作を際立たせることができる。
【０００８】
また、前記１対のラックにより移動される前記１対の扉のいずれか一方は、平行リンクにより結合された前扉と後扉により構成されており、前記前扉と後扉との間には、前記平行リンクを傾斜させて前記両扉を接近させる弾性手段が設けられており、前記１対の扉は、前記固定扉の背後に移動された際に、前扉と後扉とからなる一方の扉と他方の扉とが接近することが好ましい。この構成により扉を閉じた時に扉の前面の位置を揃えることが可能になる。
【０００９】
また、前記第３の駆動輪列中に、カム歯車を設け、このカム歯車の回転により１対のアームを揺動させ、前記１対のアームの揺動により前記飾りを駆動することが好ましい。
【００１０】
【発明の実施の形態】
本発明の実施の一形態を図面を参照して説明する。
図１は通常時のからくり時計の正面の状態であり、１時から１２時までの時刻を表示する文字板１の前面に、時針１ａと分針１ｂが時計ムーブメント１ｃ（図４図示）により回転駆動されて時刻を表示する。
【００１１】
文字板１は６つの部分に分割されており、第１の文字板１０は、３時と９時を表示した横長の文字板で、地板２に固定した固定扉１０である。第２の文字板１１は、１２時と６時を表示した縦長の文字板で、後述する駆動機構により回転して文字板１０と重なる位置に移動できるもので、第１の扉１１を構成している。第３の文字板１２は、文字板の４隅の１つである１時と２時を表示したほぼ正方形の文字板で、後述する駆動機構により下方に移動して文字板１０の３時の部分と重なる位置に移動でき、第２の扉１２を構成している。第３の文字板１３は、文字板の４隅の他の１つである４時と５時を表示したほぼ正方形の文字板で、後述する駆動機構により上方に移動して文字板１０の３時の部分と重なる位置に移動でき、第３の扉１３を構成している。第４の文字板１４は、文字板の４隅の他の１つである７時と８時を表示したほぼ正方形の文字板で、後述する駆動機構により上方に移動して文字板１０の９時の部分と重なる位置に移動でき、第４の扉１４を構成している。第５の文字板１５は、文字板の４隅の残りの１つである１０時と１１時を表示したほぼ正方形の文字板で、後述する駆動機構により下方に移動して文字板１０の９時の部分と重なる位置に移動でき、第５の扉１５を構成している。
【００１２】
図２は、第２、第３、第４及び第５の各扉１２，１３，１４及び１５が移動して固定扉１０の背後に隠されており、内部に収納されていたステージ上の人形の飾り３２，３３，３４及び３５が可視状態になっている。さらに図３は、第１の扉１１が回転して第１の文字板１０の前面に重なっており、飾り３０及び３１がさらに可視状態になっている。
【００１３】
図４を参照して、前記のように扉を駆動し、かつ飾りを駆動する機構としての駆動輪列の構成について説明する。
先ず駆動源として、図５に示す第１の駆動モータ４と第２の駆動モータ６が配置してある。図４に示すように、第１の駆動モータ４からの駆動輪列は途中で２つに分岐し、第１の駆動輪列Ａと第２の駆動輪列Ｂになっている。駆動源である第１の駆動モータ４のモータ軸４ａに一体的にピニオン４１が設けてあり、このピニオン４１から第１の駆動輪列Ａが始まっている。即ち、ピニオン４１に２番歯車４２、駆動歯車４３、中間歯車４４、４５及びスリップ歯車４６が順次噛合している。第２の駆動輪列Ｂは、駆動歯車４３から分岐した輪列で、中間歯車５０、駆動歯車５１、中間歯車５２、５３、駆動歯車５４、中間歯車５５、５６及びスリップ歯車５７が順次噛合している。後で詳細に説明するように、飾り３４と３１と３３は、前記の駆動歯車４３と５１と５４の回転に連動して演技するように構成してある。
【００１４】
図５及び図６に示すように、スリップ歯車４６には一体的にピニオン４６ａが設けてあり、このピニオン４６ａにラック４７の下端部及びラック４８の上端部がそれぞれ噛合している。また、スリップ歯車５７には一体的にピニオン５７ａが設けてあり、このピニオン５７ａにラック５８の下端部及びラック５９の上端部がそれぞれ噛合している。ラック４７，４８は連結部４７ａ、４８ａを介してそれぞれ第５の扉１５、第４の扉１４に連結してあリ、ラック５８，５９は連結部５８ａ、５９ａを介してそれぞれ第２の扉１２、第３の扉１３に連結してある。したがって、ピニオン４６ａ、５７ａの回転により各ラックを上方または下方へ移動させて各扉をともに移動させる。また、ラック５８には中央部にコ字状の操作部５８ｂを突出して設けてあり、地板２側に、この操作部５８ｂに係合可能な位置にスイッチ７ａと７ｂとを所定の間隔をおいて設けてある。このためにラック５８の上方移動時にはスイッチ７ａを押圧して操作可能とし、下方移動時にはスイッチ７ｂを押圧して操作可能としている。
【００１５】
次に第３の駆動輪列Ｃは、図４に示すように、第２の駆動モータ６を駆動源とする駆動輪列であり、モータ軸６ａに一体的にピニオン６１が設けてあり、このピニオン６１に２番歯車６２、駆動歯車６３、カム歯車６４、スリップ歯車６５が順次噛合している。カム歯車６４には偏心位置にピン６４ａが立設してあり、揺動板６６に設けた縦長の長溝６６ａに嵌合している。揺動板６６は２時から１０時の方向に横長に延伸しており、地板２に立設したガイドピン２ａを揺動板６６に設けた横長の長溝６６ｂに貫通させることにより揺動板６６を左右方向に移動可能にしている。また揺動板６６の両端部に縦長の長溝６６ｃが設けてあり、地板２に揺動自在に軸支してある１対のアーム８の先端に設けたガイドピン８ｃがこの長溝６６ｃに嵌合している。飾り３２と３５は、アーム８に連動して演技するように構成し、また飾り３０は駆動歯車６３の回転に連動するように構成してある。図４の右上部に制御基板Ｄを配設しており、第１及び第２の駆動モータ４及び６の駆動を制御する。
【００１６】
図５に示すように、スリップ歯車６５には一体的に駆動カナ６５ａが設けてあり、この駆動カナ６５ａに回転歯車６７が噛合している。この回転歯車６７は、第１の扉１１の裏面に一体的に設け、回転歯車６７の回転により第１の扉１１が２７０度回転可能である。第１の扉１１が図１の位置から図３の位置へ２７０度反時計方向に回転した位置に、図示しない度決め部材が設けてあり、図３の位置で位置決めされるようにしている。
【００１７】
図５及び図６に示すように、第２、第５の扉３２、３５の下動、及び第３、第４の扉３３，３４の上動をガイドするために、地板２に４本のガイド柱９が所定の間隔に固定してある。各扉はこのガイド柱９にガイドされて正しい姿勢で上下動する。
【００１８】
図７及び図８を参照して、扉１２と１３及び扉１５と１４の収納の構成を説明する。なお、扉１５は扉１２と対称であり、扉１４は扉１３と対称であるので、扉１２と１３について説明し、扉１５と１４については説明を省略している。
【００１９】
扉１３は１枚で構成され、ラック５９に連結部５９ａを介して連結されており、ガイド柱９にガイドされて上動し、固定扉１０の背後に移動して隠されることは前記の通りである。これに対して扉１２は前扉１２Ａと後扉１２Ｂとの２枚で構成されている。前扉１２Ａと後扉１２Ｂとは等長の平行リンク１２ｃ、１２ｄをもって連結して平行四辺形をなすものである。一方の平行リンク１２ｃには弾性手段として例えばねじりコイルばね１２ｅが設けられおり、このばね１２ｅは、図８（ｂ）に示すように、解放状態において前扉１２Ａが後扉１２Ｂよりも外方（上方）へ突出する方向に、換言すれば、平行リンク１２ｃと１２ｄを傾斜させて前扉１２Ａと後扉１２Ｂとの対向位置をずらしながら相対的に接近する方向に付勢してある。そしてラック５８は連結部５８ａを介して後扉１２Ｂに連結してある。
【００２０】
次に飾りと駆動輪列との連結の構成について説明する。先に述べたように、飾り３０は駆動歯車６３の、飾り３１は駆動歯車５１の、飾り３３は駆動歯車５４の、飾り３４は駆動歯車４３の回転に連動して演技するものであり、飾り３２と３５は１対のアーム８の揺動に連動して演技するものである。
【００２１】
まず飾り３０は、図３に示すようにきらびやかな模様が施されている円板であって、駆動歯車６３の軸に固定されており、駆動歯車６３と等速度で回転する。飾り３１は、人形３１Ａと星の円板３１Ｂとからなり、図９に拡大して示すように、人形３１Ａは脚部３１ｃで地板２に固定してあり、円板３１Ｂは駆動歯車５１の軸５１ａに連結されて等速度で回転するものである。円板３１Ｂに偏心して設けられたピン３１ｄは、人形の上体部３１ｅの背面に設けられた上下方向の長溝３１ｆに摺動自在に嵌合している。脚部３１ｃと上体部３１ｅとはピン３１ｇにより左右に揺動可能に連結してある。したがって駆動歯車５１の回転に伴って円板３１Ｂが等速度で回転するとともに、人形３１Ａが上体部３１ｅを左右に振るように演技する。
【００２２】
飾り３３と３４とは対称構成をしており、対称の演技をするものであるから、飾り３３について説明し、飾り３４については説明を省略する。図７（ａ）の下部に示すように、飾り３３は、人形３３Ａと車を模した円板３３Ｂとからなり、人形３３Ａは脚部３３ｃで地板２に固定してあり、円板３３Ｂは駆動歯車５４の軸５４ａに連結されて等速度で回転するものである。円板３３Ｂに偏心して設けられた連結ピン３３ｄは、人形の上体部３３ｅの肩部に回転可能に連結された腕部３３ｆの手に回転可能に連結してある。脚部３３ｃと上体部３３ｅとはピン３３ｇにより左右に揺動可能に連結してある。したがって駆動歯車５４の回転に伴って円板３３Ｂが等速度で回転するとともに、この回転に腕３３ｆを介して人形３３Ａが上体を左右に振るように演技し、あたかも人形によって車が回されているように演技する。
【００２３】
飾り３２と３５とは同一構成をしているので、飾り３２について説明し、飾り３５については説明を省略する。図７（ａ）の上部に示すように、飾り３２はベルをかざした人形になっており、飾り３２はその背面のほぼ中心部でアーム８の軸８ａに一体的に連結されている。したがって、図４に示したようにカム歯車６４の回転により揺動板６６が左右に往復移動すると、アーム８が往復揺動し、軸８ａが往復回動する。この軸８ａに連動して飾り３２も往復回動するが、このときあたかもベルを振っているように演技する。
【００２４】
このような構成であるので、例えば正時になると、駆動モータ４が駆動され、第１及び第２の駆動輪列Ａ及びＢがそれぞれ回転を伝達してゆく。この回転の伝達によってスリップ車４６、５７が回転駆動され、この回転によりピニオン４６ａ、５７ａが回転する。そこで図５及び図６で説明したように、ラック４７、５８が下動し、ラック４８、５９が上動する。ラック４８、５９の上動に伴って扉１４、１３も上動して図７（ｄ）のように扉１０の背後に移動して隠される。ラック４７、５８の下動に伴って扉１５、１２が下動する際には、ラック５８は後扉１２Ｂに連結してあるので、図７（ａ）及び図８（ａ）に示すように、両扉の上端が地板２の内面に当接して揃っている状態から、図７（ｂ）のように先ず後扉１２Ｂが下動をはじめ、ばね１２ｅのばね力を次第に弱くしてゆき、図７（ｃ）及び図８（ｂ）のようにばね１２ｅが解放状態になると、平行リンク１２ｃ及び１２ｄを傾斜させて前扉１２Ａが後扉１２Ｂに接近する。図７（ｃ）及び図８（ｂ）に示すように、両扉が対向位置をずらして接近した状態で、ラック５８の移動に追従し、図７（ｄ）に示すように扉１０及び１３の背後に移動して隠されて図２の状態になる。この位置でラック５８はその操作部５８ｂがスイッチ７ｂを押してラック５８が下動位置にあることを示す。ラック５８はそれ以上の下動ができないのでピニオン４６ａ、５７ａは回転できないが、駆動モータ４は回転を継続しているので、モータ４からの回転は、スリップ車４６、５７でスリップすることによりピニオン４６ａ、５７ａに伝達されることはない。
【００２５】
前記のようにスイッチ７ｂが押されることによって、制御基板Ｄの所定の接点が閉じられ、第２の駆動モータ６が駆動され、第３の駆動輪列Ｃにより回転が伝達される。そこで回転歯車６７が反時計方向に回転して扉１１を反時計方向に２７０度回転させ、扉１０の前面に重なった位置で図示しない度決め部材により回転が止められ、図３の状態になる。駆動モータ６は回転を継続しているので、モータ５から伝達される回転は、スリップ車６５でスリップすることにより回転歯車６７に伝達されることはない。
【００２６】
このように図３の状態で飾りが全て可視状態になリ、第１、第２及び第３の駆動輪列Ａ、Ｂ及びＣはその駆動を継続しているので、先に説明したように駆動輪列中の駆動歯車６３、５１、５４及び４３の回転により、飾り３０、３１、３３及び３４は演技し、カム歯車６４の回転によって１対のアーム８を揺動させることにより、飾り３２、３５は演技するものである。
【００２７】
パフォーマンスが終わって元の図１の状態に戻すには、駆動モータ４を逆転駆動すれば、先の説明とは逆に扉１２、１３、１４及び１５が元の位置に戻り、ラック５８が上動してその操作部５８が今度はスイッチ７ａを押すことによりラック５８が上動位置にあることを示す。
【００２８】
ラック５８が上動する時は、扉１２は図７（ｄ）の位置から（ｃ）の位置に至り、ここで前扉１２Ａの上端が地板２の内面に当接してそれ以上移動できなくなるので、その後のラック５８の上動時には、後扉１２Ｂを図７（ｂ）のようにばね１２ｅのばね力に抗して上動させてゆき、同時に前扉１２Ａを後扉１２Ｂから離反させてゆき、後扉１２Ｂが地板２の内面に当接したときにラック５８は移動を停止して図７（ａ）のように元の状態となる。扉１２が閉じられた図７（ａ）の状態では、前扉１２Ａの前面は第３の扉１３の前面と揃っており、扉１２と１３が開かれた図７（ｄ）の状態では、扉１２は扉１３の背後に接近して位置している。これは、前記のように前扉１２Ａと後扉１２Ｂとを平行リンク１２ｃと１２ｄで連結し、ばね１２ｅの解放状態では前扉１２Ａと後扉１２Ｂとを接近させる構成としたためであり、扉１２と１３を閉じた際には、ばね１２ｅのばね力を作用させて前扉１２Ａの前面を前進させることにより扉１２と１３の前面を揃えることができる。そして前記のスイッチ７ａが押されることにより、駆動モータ６を逆転駆動するので、扉１１は２７０度時計方向に回転して元の状態に戻る。
【００２９】
なお、前記の例では扉１１を２７０度回転するように規制しているが、９０度回転するように規制してもよく、またこの規制を設けないものでもよい。
【００３０】
また先の説明のように両駆動モータをともに駆動するものに限られず、いずれか一方の駆動モータのみを駆動させ、選択された扉のみを開き、可視状態となった飾りを駆動する事も可能である。
【００３１】
【発明の効果】
本発明は前記のように構成してあるので、飾りの駆動のための駆動輪列は扉の駆動輪列中のスリップ車の前段までを兼用できるので、構成を最小限のものにできる。したがって、構成が簡単にでき製造コストを低減でき、装置の小型化が可能になる。扉と文字板とを兼用しているので、文字板を開いて飾りを駆動させるために演出効果が向上する。多くの扉を開いた状態では固定扉に重なり状態としながら、扉を閉じた際には扉の前面をほぼ揃えることができ、文字板の見栄えが向上する。
【図面の簡単な説明】
【図１】通常時のからくり時計の正面図である。
【図２】からくり動作を行うために一部の扉を開いた状態の時計の正面図である。
【図３】からくり動作を行うために全ての扉を開いた状態の時計の正面図である。
【図４】駆動機構を示す背面図である。
【図５】駆動構成を示す正面図である。
【図６】時刻を表示する文字を記したシートを除去して示した図５の一部拡大正面図である。
【図７】（ａ）〜（ｄ）は扉の収納の構成を段階的に示す拡大断面図である。
【図８】（ａ）（ｂ）は図７（ａ）（ｃ）の一部拡大断面図である。
【図９】飾りの構成を示すもので、（ａ）は人形の背面図、（ｂ）は断面図、（ｃ）は円板の正面図である。
【符号の説明】
１                文字板
１０              固定扉
１１              第１の扉
１２              第２の扉
１２Ａ            前扉
１２Ｂ            後扉
１２ｃ、１２ｄ    平行リンク
１２ｅ            弾性手段（ばね）
１３              第３の扉
１４              第４の扉
１５              第５の扉
４６、５７、６５  スリップ車
４６ａ、５７ａ    ピニオン
４７、４８        １対のラック
５８、５９        １対のラック
６４              カム歯車
８                アーム
Ａ                第１の駆動輪列
Ｂ                第２の駆動輪列
Ｃ                第３の駆動輪列
【図１】
0003739990.tif 000002
【図２】
0003739990.tif 000003
【図３】
0003739990.tif 000004
【図４】
0003739990.tif 000005
【図５】
0003739990.tif 000006
【図６】
0003739990.tif 000007
【図７】
0003739990.tif 000008
【図８】
0003739990.tif 000009
【図９】
0003739990.tif 000010